(57)【特許請求の範囲】
【請求項１】
ジャケットにゴムまたは合成樹脂の内張りが施されている消防用ホースにおいて、該ホースの長手方向に直角な横断面上において、重心が外周側一方向に偏って存在し、かつ、該重心が偏って存在している該外周側一方向に直角にホース中心をとおる分割線で２分割したときに、（重心がある側の重量：重心のない側の重量＝１．０３〜１．３：１）の重量比構成にされ、かつ、ホース厚さは全周囲で均一に形成されてなることを特徴とする消防用ホース。
【請求項２】
ホースの長手方向に直角な横断面上において、重心が外周側一方向に偏って存在している構造が、該横断面におけるホース全周囲の１０％〜３０％の領域で重量が他の部分よりも重く形成されていることにより形成されているものであることを特徴とする請求項１記載の消防用ホース。
【請求項３】
ジャケット外周がホース長手方向に沿って設けられている一本の縦色線を有するものであり、該縦色線が、前記重心が外周側一方向に偏って存在している該外周側一方向の線上に存在していることを特徴とする請求項１または２記載の消防用ホース。
【請求項４】
ジャケット外周がホース長手方向に沿って設けられている一本の縦色線を有するものであり、該縦色線が、前記重心が外周側一方向に偏って存在している該外周側一方向と直角な線上に存在していることを特徴とする請求項１または２記載の消防用ホース。
【請求項５】
ホースの長手方向に直角な横断面上において、重心が外周側一方向に偏って存在している構造が、該横断面におけるホース全周囲の一部の領域で重量が他の部分よりも重く形成されていることにより形成されているものであり、かつ、ジャケット外周において、該重量が他の部分よりも重く形成されている領域と該他の部分との境界の付近に、ホース長手方向に沿って延在する境界色線が設けられていることを特徴とする請求項１から４のいずれかに記載の消防用ホース。
【請求項６】
ホースの長手方向に直角な横断面上において、重心が外周側一方向に偏って存在している構造が、前記ジャケットが織物を用いて構成され、かつ該織物の織糸密度がホース周方向にそって部分的に変更されていることにより形成されているものであることを特徴とする請求項１〜５のいずれかに記載の消防用ホース。
【請求項７】
ホースの長手方向に直角な横断面上において、重心が外周側一方向に偏って存在している構造が、前記ジャケットに内張りされるゴムまたは合成樹脂の比重がホース周方向にそって部分的に変更されていることにより形成されているものであることを特徴とする請求項１〜５のいずれかに記載の消防用ホース。
【請求項８】
ホースの長手方向に直角な横断面上において、重心が外周側一方向に偏って存在している構造が、前記ジャケットに内張りされているゴムまたは合成樹脂の層が、ホース内表面上において、ホース長さ方向に延在するリブ高さ０．３〜２ｍｍの複数本のリブを有し、該リブの存在ピッチがホース周方向にそって部分的に変更されていることにより形成されているものであることを特徴とする請求項１〜５のいずれかに記載の消防用ホース。
【請求項９】
ホースの長手方向に直角な横断面上において、重心が外周側一方向に偏って存在している構造が、前記ジャケットがその外周において合成樹脂が含浸され該合成樹脂によって被覆された構造を有し、該合成樹脂の含浸被覆量がホース周方向にそって部分的に変更されていることにより形成されているものであることを特徴とする請求項１〜５のいずれかに記載の消防用ホース。
【請求項１０】
ホースの長手方向に直角な横断面上において、重心が外周側一方向に偏って存在している構造が、請求項５〜９から選ばれた２以上の組合せ構造により形成されているものであることを特徴とする請求項１〜９のいずれかに記載の消防用ホース。
【発明の詳細な説明】
【技術分野】
【０００１】
本発明は消防用ホースに関する。
【背景技術】
【０００２】
従来、消防用ホースは、全体にわたり均等に、織られ、編まれまたは巻かれて形成されたジャケットに、均一にゴムまたは合成樹脂が内張りとして被覆塗装されて構成されたものが通常である。
【０００３】
消防用ホースは、通常、収納時には、平坦に押し潰された状態でコンパクトにコイル状に巻かれていて、使用の際には、路上や床面上などで転げるように放られ、展張されて使用される。この展張をするに際しては、放水時に高圧水がスムーズに流れるのに支障が生じないように全体のホースの形状が配慮される。
【０００４】
例えば、ホースをできるだけ延ばして使うべきときには、蛇行した状態やジグザグ状になることや、あるいは捩れたりすることなく、いち早く、真っ直ぐに延びたホース状態を呈することが求められ、あるいはまた、ホースが真っ直ぐな状態でなく、ホース長さが余った緩んだ状態で使用されるべきときには、その余った分がジグザグ状等になることや、また捩れたりすることなく、緩やかな一つの円弧状や弓形曲線状などをいち早く呈することが求められるのであり、緊急時などのホースの操作者は、火点位置（ひいては放水位置）を見極めながら、ホース全体が最適な形態を呈するように留意しつつ操作をすることが要請される。
【０００５】
しかし、本来、均一に織られ、かつ均一にゴムまたは合成樹脂が被覆された消防用ホースは、該ホースの径方向において特別な方向性もなく、ホースに上述のような一定の展張動作を行わせようとしたとしても、普段は扱いなれていない者が扱うという状況や少人数で行わざるを得ない状況等もあり、必ずしも、緊急時に短時間で容易にできるというものではなかった。
【０００６】
このような点に関連して、消防用ホースの展張性を向上させるためにいくつかの提案がある（特許文献１−３）。
【０００７】
例えば、管状の織物からなるジャケットの内面にゴムまたは合成樹脂からなる被覆層を設け、該被覆層を、ホース長手方向に対して平行に延長する一対の厚肉部と一対の薄肉部とをホース周方向に交互に配列するとともに、該一対の厚肉部どおしおよび一対の薄肉部どおしが、ホース軸芯を挟んで互いに対面するように構成された消防用ホースが提案されている（特許文献１）。
【０００８】
しかし、この特許文献１の提案のホースでは、厚肉部の存在がコイル巻をした際に巻径の増大を招き、収納性や操作性の点、薄肉部の強度などの問題があった。
【０００９】
また、巻き込み収納性を阻害することなく、コイル状に巻き込んだ状態から敏速かつ真っ直ぐに展張することを可能にした消防用ホースとして、管状の織物からなるジャケットの内面にゴムまたは合成樹脂からなる被覆層を設け、該被覆層をホース長手方向に対して平行に延長する硬質層と該硬質層よりも剛性が低い軟質層とをホース周方向に交互に配列するとともに、ホース横断面を偏平に押し潰したとき硬質層が平坦部に位置し、軟質層が両屈曲部に位置するように構成したという消防用ホースについての提案がされている（特許文献２）。
【００１０】
しかし、この特許文献２の提案のホースでは、硬質層と該硬質層よりも剛性が低い軟質層の存在が不均質性や強度面などの問題を招き好ましくなかった。
【００１１】
また、保管中の状態からホースを伸ばしたときの伸ばし易さおよび伸ばしたホースが真っ直ぐに伸びる展張性の向上化が得られ、かつ展張したホース内に水を通したとき、ホース内に水が通じる速さ、いわゆる通水性の向上化を得られる消防用ホースとして、たて糸とよこ糸を筒状に織成したジャケットの内面に、ゴム材または合成樹脂材からなるライニング層を嵌合してなる消防用ホースにおいて、該ホースを偏平状に折り畳んだ状態での両側端部である耳部の相互間に、該ホースを展張させたときに展張方向に向かって重量をかける展張促進部を設けたという消防用ホースが提案されている（特許文献３）。
【００１２】
しかし、この特許文献３の提案のホースの展張促進部は、例えば、太い糸を用いて織られている部位であるが、該展張促進部は局部的に厚肉部となり、コイル巻をした際に巻径の増大を招き、収納性や操作性の点などの問題があった。
【特許文献１】特開２０００−１４０４１５号公報
【特許文献２】特開２０００−１４６０３２号公報
【特許文献３】特開２００１−１４１１２７号公報
【発明の開示】
【発明が解決しようとする課題】
【００１３】
本発明の目的は、上述したような点に鑑み、緊急性ある火災現場などにおいて、コイル状に巻かれていた消防用ホースを展張するにあたり、短時間でスムースに、希望するホース全体形状を呈して展張することを可能にする消防用ホースを提供することにある。
【００１４】
特に、ホースが真っ直ぐな状態でなく、ホース長さが余った緩んだ状態で使用されるべきときに、その余った分がジグザグ状等になることや、また捩れたりすることなく、緩やかな一つの円弧状や弓形曲線状などをいち早く呈することが比較的容易にできる消防用ホースを提供することにある。
【００１５】
特に、図２、図４、図６に示したようなコイル状の二重巻きとされて収納されていた状態からでも、希望するホース全体形状に、より迅速に、より操作性良く、より容易に展張させることのできる消防用ホースを提供することにある。
【課題を解決するための手段】
【００１６】
上述した目的を達成する本発明の消防用ホースは、以下の（１）の構成からなる。
（１）ジャケットにゴムまたは合成樹脂の内張りが施されている消防用ホースにおいて、該ホースの長手方向に直角な横断面上において、重心が外周側一方向に偏って存在し、かつ、該重心が偏って存在している該外周側一方向に直角にホース中心をとおる分割線で２分割したときに、（重心がある側の重量：重心のない側の重量＝１．０３〜１．３：１）の重量比構成にされ、かつ、ホース厚さは全周囲で均一に形成されてなることを特徴とする消防用ホース。
【００１７】
また、かかる本発明の消防用ホースにおいて、より好ましい具体的構成として、以下の（２）〜（１０）のいずれかのものである。
（２）ホースの長手方向に直角な横断面上において、重心が外周側一方向に偏って存在している構造が、該横断面におけるホース全周囲の１０％〜３０％の領域で重量が他の部分よりも重く形成されていることにより形成されているものであることを特徴とする上記（１）記載の消防用ホース。
（３）ジャケット外周がホース長手方向に沿って設けられている一本の縦色線を有するものであり、該縦色線が、前記重心が外周側一方向に偏って存在している該外周側一方向の線上に存在していることを特徴とする上記（１）または（２）記載の消防用ホース。
（４）ジャケット外周がホース長手方向に沿って設けられている一本の縦色線を有するものであり、該縦色線が、前記重心が外周側一方向に偏って存在している該外周側一方向と直角な線上に存在していることを特徴とする上記（１）または（２）記載の消防用ホース。
（５）ホースの長手方向に直角な横断面上において、重心が外周側一方向に偏って存在している構造が、該横断面におけるホース全周囲の一部の領域で重量が他の部分よりも重く形成されていることにより形成されているものであり、かつ、ジャケット外周において、該重量が他の部分よりも重く形成されている領域と該他の部分との境界の付近に、ホース長手方向に沿って延在する境界色線が設けられていることを特徴とする上記（１）から（４）のいずれかに記載の消防用ホース。
（６）ホースの長手方向に直角な横断面上において、重心が外周側一方向に偏って存在している構造が、前記ジャケットが織物を用いて構成され、かつ該織物の織糸密度がホース周方向にそって部分的に変更されていることにより形成されているものであることを特徴とする上記（１）〜（５）のいずれかに記載の消防用ホース。
（７）ホースの長手方向に直角な横断面上において、重心が外周側一方向に偏って存在している構造が、前記ジャケットに内張りされるゴムまたは合成樹脂の比重がホース周方向にそって部分的に変更されていることにより形成されているものであることを特徴とする上記（１）〜（５）のいずれかに記載の消防用ホース。
（８）ホースの長手方向に直角な横断面上において、重心が外周側一方向に偏って存在している構造が、前記ジャケットに内張りされているゴムまたは合成樹脂の層が、ホース内表面上において、ホース長さ方向に延在するリブ高さ０．３〜２ｍｍの複数本のリブを有し、該リブの存在ピッチがホース周方向にそって部分的に変更されていることにより形成されているものであることを特徴とする上記（１）〜（５）のいずれかに記載の消防用ホース。
（９）ホースの長手方向に直角な横断面上において、重心が外周側一方向に偏って存在している構造が、前記ジャケットがその外周において合成樹脂が含浸され該合成樹脂によって被覆された構造を有し、該合成樹脂の含浸被覆量がホース周方向にそって部分的に変更されていることにより形成されているものであることを特徴とする上記（１）〜（５）のいずれかに記載の消防用ホース。
（１０）ホースの長手方向に直角な横断面上において、重心が外周側一方向に偏って存在している構造が、上記（５）〜（９）から選ばれた２以上の組合せ構造により形成されているものであることを特徴とする上記（１）〜（９）のいずれかに記載の消防用ホース。
【発明の効果】
【００１８】
本発明によれば、緊急性ある火災現場などにおいて、コイル状に巻かれていた消防用ホースを展張するにあたり、短時間でかつスムースに、希望するホース全体形状を呈して展張することを可能にする消防用ホースが提供される。
【００１９】
特に、本発明によれば、ホースが真っ直ぐな状態でなく、ホース長さが余った緩んだ状態で使用されるべきときに、その余った分がジグザグ状等になることや、また捩れたりすることなく、緩やかな一つの円弧状や弓形曲線状などをいち早く呈することが比較的容易にできる消防用ホースが提供される。
【００２０】
中でも、特に、図２、図４および図６に示したようなコイル状の二重巻きとされて収納されていた状態からでも、希望するホース全体形状に、より迅速に、より操作性良く、より容易に展張させることのできる消防用ホースを提供できるものである。
【００２１】
このような効果を持つ本発明の消防用ホースは、普段は消防用ホースに扱い慣れていない操作者や力のない操作者にも、所望の展張形態をなして展張させるという点で扱いやすいものであり、緊急性ある重大事にも、より迅速・的確に対応することを可能にするものである。
【００２２】
また、実際の火災現場での使用のみならず、本発明の消防用ホースを、消防競技会などにおいて採用すると、ホース操作者の標準動作として定着するに資する安定した展張性を有した消防用ホースを提供するものである。なお、特に、そのような消防競技会などでは、演技チームの操作者が右利きかあるいは左利きかに対応して、二重巻きの巻き方と雄金具と雌金具の取付を変えることにより、右利き者あるいは左利き者のいずれにも対応しても、より良好な操作性と展張性をもたらすという、新規な消防用ホースが提供されるものである。
【発明を実施するための最良の形態】
【００２３】
以下、図面などに基づいて、更に詳しく本発明の消防用ホースについて説明する。
【００２４】
図１は、本発明にかかる消防用ホースの一実施態様例を示した概略ホース断面図であり、本発明にかかる消防用ホース１は、ジャケット２にゴムまたは合成樹脂の内張り３を施した消防用ホースにおいて、該ホース１の長手方向に直角な横断面上において、重心Ｗが外周側一方向（図面上、矢印Ｄ方向）に偏って存在し、かつ、該外周側一方向（矢印Ｄ方向）に直角にホース中心Ｃをとおる分割線Ｌで２分割したときに、以下の（ａ）式を満足する重量比構成にされていて、かつ、ホース厚さＴは、全周囲で実質的に均一に形成されていることを特徴とするものである。
重心Ｗがある側の重量：重心Ｗのない側の重量＝１．０３〜１．３：１  ……（ａ）
【００２５】
すなわち、図１に示した消防用ホースにおいては、図面上、上方向に重心が偏って存在しているものである。
【００２６】
かかる本発明の消防用ホースは、例えば、図２に示したように、重心が存在する側を上に向けて、コイル状に二重巻きされている状態から展張をする際に、円弧状や弓形曲線状として膨らませたい方向側に向けて、放ったり転がしたりすることにより、重心のある上側が展張させたい方向の先導作用を行い、よりシャープかつスムースにホースが円弧や曲線状を描いて広がって展張しやすいように投げることができるものとなる。
【００２７】
なお、二重巻とは、ホース全長のほぼ中央部で折り曲げて、その中央の折曲げ点を芯部にして、図２、図４および図６に示したように、コイル状に巻いたものであり、該ホースの両先端には図示していないが、おす金具Ｍとめす金具Ｆとが装着されるものである。おす金具Ｍとめす金具Ｆとは、一般には、おす金具Ｍが内側になるようにしてコイル状２重巻きがなされるものである。
【００２８】
また、図１や図２に示しているように、本発明にかかる消防用ホースは、ホースのラインがしっかりと見えて、捩れなどの有無なども瞬時に認識されやすいように、ジャケット外周が、ホース長手方向に沿って、一本の縦色線４を有することも肝要であり、該縦色線を設けることは法令（「消防用ホースの技術上の規格を定める省令」）上も要請される。したがって、該縦色線４は、従来の消防用ホースでも備わっているものであるが、また「縦線」とも呼ばれるものであるが、一般には、赤色などの適宜太さの色糸を使用して、肉眼で視認されやすい形態で織り込まれて、ジャケット外周上に存在していればよい。
【００２９】
本発明において、重心Ｗがある側の重量と重心Ｗのない側の重量比率は、重心Ｗがある側の重量：重心Ｗのない側の重量＝１．０３〜１．３：１の範囲内とすることが肝要であり、該比率が１．０３未満である場合には本発明の効果を所期のとおりに良好に得ることは難しくなり、また、１．３を超える場合には、消防用ホースの全体的構成において、全体重量を大きくせざるを得なくなるなどの他の構成要素とのバランスを崩す方向であり、一般には好ましくない。
【００３０】
本発明の消防用ホースにおいて、図１および図２に示したように、重心Ｗのある側が上側になるように、前述２分割線Ｌに沿ってホースを偏平状に押し潰して二重巻をすることが良いものであるが、必ずしも重心が上にある場合だけに限らず、意図的に、違う位置になるようにしてホースを巻くこともできるものであり、それはまた本発明の消防用ホースの特徴点でもある。
【００３１】
すなわち、図３および図４に示したように、図１と図２に示した使い方とは９０度異なる使い方であり、重心が偏って存在している該外周側一方向（Ｄ方向）が、コイル状巻体を横倒しにした場合に外周側に向いているようにして、二重巻きして収納し使用されるようにしてもよい。
【００３２】
その場合、コイル状に二重巻きされている状態から展張をする際に、展張をさせたい方向側に向けて、二重巻き体を立てた状態で転がしたり放ったりするときに、転がりながらも該ホースに安定してしっかりと整然と立つ力と転がしたい方向に先導する力が作用し、ホースが予期せぬ方向に転がったりすることを極力防止できる。
【００３３】
あるいは、図５および図６に示したように、図１と図２に示した使い方とは１８０度異なる使い方であり、重心が偏って存在している該外周側一方向（Ｄ方向）が、コイル状巻体を横倒しにした場合に地面側に向いているようにして、二重巻きして収納し使用されるようにしてもよい。
【００３４】
なお、上述の図１および図２に示したように、重心Ｗのある側が上側になるように、偏平状に押し潰して二重巻をすることは右利き者がホースを放るのに適していて、また、上述の図５および図６に示したように、重心Ｗのある側が下側になるように、偏平状に押し潰して二重巻をすることは左利き者がホースを放るのに適している。
【００３５】
本発明において、前述した縦色線４は、コイル状に巻かれたときでも視認しやすいように、図２、図４および図６に示したように、コイル巻の外周側に位置するように設けられることが通常である。
【００３６】
なお、図１に示した態様では、該縦色線４は、重心Ｗが外周側一方向に偏って存在されている該外周側一方向（Ｄ方向）と直角な線上に存在させている態様である。
【００３７】
また、図３に示した態様では、該縦色線４は、重心Ｗが外周側一方向に偏って存在されている該外周側一方向の線上に存在させているものである。
【００３８】
また、図５に示した態様では、該縦色線４は、重心Ｗが外周側一方向に偏って存在されている該外周側一方向（Ｄ方向）と直角な線上に存在させている態様である。
【００３９】
本発明の消防用ホースを製造するに際しては、例えば、ジャケットを織物を用いて構成し、該織物の織密度を、ホース周方向にそって部分的に変更させて、重心が偏って存在するように、かつ、重量比率が上述した範囲を満足するようにして構成すること、あるいは、ジャケットに内張りされるゴムまたは合成樹脂の比重を、ホース周方向にそって部分的に変更させて内張りすることなどによって達成することができる。
【００４０】
また、特開平７−４５６９号公報に記載されている消防用ホースのように、ゴムまたは合成樹脂の内張を施したホース内周面上に、ホース長さ方向に延在する多数の突条（リブ）を平行に設けたホースの場合であれば、該多数の突条（リブ）の存在数をホース周方向にそって部分的に変更させることなどによって達成することもできる。
【００４１】
また、後述する本発明においてのホース厚さが全周囲で均一である範囲内において、厚さを、部分的に多少厚くするなどの手段によっても達成することができる。
【００４２】
また、もちろん、上述した各手段の複数を適宜に組合せて実現してもよい。
中でも、該織物の織密度をホース周方向にそって部分的に変更させることにより、重心が偏って存在するようにすることは、比較的簡単であり好ましい態様である。
【００４３】
特に、図１、図３あるいは図５において、一点鎖線領域Ａで示した領域付近で、かつ全体外周の１割〜３割程度の領域内で、タテ糸織密度を高くして、本発明のホースを実現することが好ましい。
【００４４】
また、織物を織成する織糸として一部に比重の大きな織糸を用いて織成する等の手段をとることもでき、それら手段を複数組み合わせて採用して、上述した重量比率の範囲内とすることができる。
【００４５】
さらにまた、ジャケット外周に合成樹脂などを外面被覆塗装する場合であれば、該外面被覆塗装の被覆樹脂量・含浸樹脂量を部分的に多少多くするなどの手段によっても達成することもでき、上述したようなタテ糸織密度を高くして重量を重くせんとする場合には、糸量に対応して、被覆樹脂量・含浸樹脂量も多くなる方向であるので、一石二鳥的に好ましいものである。
【００４６】
いずれにしても、各図で一点鎖線領域Ａで例示した付近で、かつ全体外周の１割〜３割程度の領域内で、重量（比重）を大きくしたり密度を高くして、および／または上述した各種の手段を用いて、当該領域の重量を他領域よりも重くして本発明のホースを実現することが好ましい。
【００４７】
また、図２や図４および図６に示したように、ホースのジャケット上において、重さが重くされている領域Ａとそうでない領域との境界付近には、その境界を目視により確認・認識できるように、境界色線５を設けることが好ましい。重さが重くされている領域Ａとそうでない領域との境界部分が簡単にわかることは、ホースの操作・取扱いをしやすくする上で好ましい。この境界色線５は、図１や図３および図５のホース断面図にて示したように、ジャケット２の外周上に視認性良く、単一本であるいは複数本で設けられていることがよいものである。
【００４８】
結局、一般的には、この境界色線５と前述した縦色線４は、ホース断面図上で見ると、図１あるいは図５の場合のように、周方向に約９０度、方向を変えて存在していることが実際的で好ましいものである。そして、そのような構成であると、ホース長さ方向に存在する色線が、少なくとも１本は視認されることが多くなるものであり、展張した際のホースのねじれや曲がりなどを瞬時に診断して、必要な修正作業を迅速かつ適切に行うことができるようになる。
【００４９】
なお、該境界色線５と該縦色線４は、ホース断面図上で見ると、図３に示した場合のように、周方向上に、固まって存在している場合でもよく、その場合、縦色線４が存在する方向の認識がより正確かつ早くできるものである。
【００５０】
本発明の消防用ホースにおいて、ホース厚さは全周で均一な厚さを呈して形成されていることが肝要であり、厚さが均一でない場合には、コイル巻をしたときに巻径が大きくなったり、コンパクトな巻上げ自体が難しくなったり、あるいは、ホース巻体として、路面・床面に直立させることが難しくなったりするので好ましくないものである。
【００５１】
したがって、本発明の消防用ホースを製造するに際しては、全周にわたり、厚さが均一さを維持させつつ、重心が偏って存在するように、織糸の太さ・重量、織密度、内張り材の比重などを周方向にそって一部相違させて、ホースを形成することが重要である。
【００５２】
なお、ただし、本発明において、全周にわたり厚さが均一であるとは、厚さデータを採集した場合、最厚と最薄のデータの相違が５％以内（最薄データを１００％とした場合、最厚データが１０５％以内）である分布であること、好ましくは、最厚と最薄のデータの相違が３％以内（最薄データを１００％とした場合、最厚データが１０３％以内）、より好ましくは、最厚と最薄のデータの相違が２．５％以内（最薄データを１００％とした場合、最厚データが１０２．５％以内）である分布であることをいうものである。
【００５３】
また、前述した特開平７−４５６９号公報に記載されている消防用ホースのように、ゴムまたは合成樹脂の内張を施したホース内周面上に、ホース長さ方向に延在する多数の突条（リブ）を平行に設けたホースの場合であれば、該多数の突条（リブ）の高さは、厚さの概念には含まないものであり、該突条（リブ）を除外した「地」・「ベース」での厚さを上述した範囲内とするものである。
【実施例】
【００５４】
以下、実施例に基づいて、本発明の消防用ホースの具体的構成、効果について説明をする。
【００５５】
実施例１
図１と図２に示した態様で、下記の織糸使いにて筒状織物を製織してジャケットを製造し、さらに合成樹脂の内張りを行い、本発明にかかる消防用ホース（ホース呼称６５：内径約６５ｍｍ）を製造した。
【００５６】
タテ糸としては、通常密度部はポリエステル紡績糸２０ｓ／７、全４２０本を全部で１０本の綜絖（１綜絖当たり４２本）に通し、高密度部はポリエステル紡績糸２０ｓ／７、全１０４本を全２本の綜絖（１綜絖当たり５２本）に通して製織をした。
【００５７】
すなわち、通常密度部では１綜絖当たり４２本のタテ糸の織り密度、高密度部では１綜絖当たり５２本のタテ糸の織り密度としたものであり、通常密度部よりも高密度部ではタテ糸使用重量が２３．８％多いものである。
【００５８】
ヨコ糸としては、ポリエステルフィラメント加工糸（捲縮数５７山／１０ｃｍ）１１００ｄｔｅｘ／４を用いた。
【００５９】
合成樹脂の内張りとしては、ウレタン樹脂を用いて９０ｇ／ホース１ｍ長さの塗布量とした。
【００６０】
縦色線は、赤色の染色糸を用いた。
消防用ホースの厚さは、全周にわたり０．５ｃｍ間隔位置での厚さを実測したところ、最厚部で２．０ｍｍ、最薄部で２．１ｍｍであった。
【００６１】
こうして得られた消防用ホースは、重心のある側とない側とで、ホース中心点を通る分割線で２分割したときの重量比率は、重心のある側：重心のない側＝１．１５：１．０であった。なお、このホース重量の求め方は、ホース１ｍ長さで、ｎ数を３として実測し、得られた値を平均したものであり、全重量が２８２．０ｇであるのに対して、重心のある側が１５０．８ｇ、重心のない側が１３１．２ｇであった。
【００６２】
こうして得られたホースを二重巻にし、その状態で右利き者が放ったときの展張性について試験をした。
【００６３】
この結果、本発明の消防用ホースは、放ったときに良好なきれいな円弧状に広がり、所望のとおりに展張させやすいものであった。
【００６４】
実施例２
図３と図４に示した態様で、下記の織糸使いにて筒状織物を製織してジャケットを製造し、さらに合成樹脂の内張りを行い、本発明にかかる消防用ホースを製造した。
【００６５】
タテ糸としては、通常密度部はポリエステル紡績糸２０ｓ／７、３９４本（９綜絖）、高密度部はポリエステルフィラメント加工糸（捲縮数５７山／１０ｃｍ）１１００ｄｔｅｘ／２（３綜絖）を用いた。
【００６６】
すなわち、デシテックスに換算すると、通常密度部ではタテ糸重さは２０５０ｄｔｅｘ、高密度部ではタテ糸重さは２２００ｄｔｅｘとなり、通常密度部よりも高密度部ではタテ糸使用重量が７．３％多いものである。
【００６７】
ヨコ糸としては、ポリエステルフィラメント加工糸（捲縮数５７山／１０ｃｍ）１１００ｄｔｅｘ／４を用いた。
【００６８】
合成樹脂の内張りとしては、ウレタン樹脂を用いて、９０ｇ／ホース１ｍ長さの塗布量とした。
【００６９】
縦色線は、赤色染色糸を用いた。
消防用ホースの厚さは、全周にわたり０．５ｃｍ間隔位置での厚さを実測したところ、厚部で２．０ｍｍ、最薄部で２．１ｍｍであった。
【００７０】
こうして得られた消防用ホースは、重心のある側とない側とで、ホース中心点を通る分割線で２分割したときの重量比率は、重心のある側：重心のない側＝１．１５：１．０であった。
【００７１】
こうして得られたホースを二重巻にし、その状態で放ったときの展張性について試験をした。
【００７２】
この結果、この本発明の消防用ホースは、転がしたときに、よじれることもなく、かつ曲がることなく真っ直ぐに展張させやすいものであり、操作者が意図した展張状態を実現しやすいものであることが確認できた。
【図面の簡単な説明】
【００７３】
【図１】図１は、本発明にかかる消防用ホースの一実施態様例を示した概略ホース断面図である。
【図２】図２は、本発明にかかる消防用ホースをコイル巻した状態の１例を示した概略斜視図である。
【図３】図３は、本発明にかかる消防用ホースの他の一実施態様例を示した概略ホース断面図である。
【図４】図４は、本発明にかかる消防用ホースをコイル巻した状態の他の１例を示した概略斜視図である。
【図５】図５は、本発明にかかる消防用ホースの他の一実施態様例を示した概略ホース断面図である。
【図６】図６は、本発明にかかる消防用ホースをコイル巻した状態の他の１例を示した概略斜視図である。
【符号の説明】
【００７４】
１  消防用ホース
２  ジャケット
３  ゴムまたは合成樹脂の内張り
４  縦色線
５  境界色線
Ｗ  重心
Ｃ  ホース中心点
Ｌ  重心Ｗが偏って存在している外周側一方向に直角でかつホース中心点Ｃを通る分割線
Ｔ  ホース厚さ
Ｄ  重心Ｗが外周側一方向に偏って存在している該方向
Ａ  「折り耳」付近を示した領域
Ｍ  おす金具
Ｆ  めす金具
【図１】
0004833925.tif 000002
【図２】
0004833925.tif 000003
【図３】
0004833925.tif 000004
【図４】
0004833925.tif 000005
【図５】
0004833925.tif 000006
【図６】
0004833925.tif 000007